(57)【要約】【課題】機器の大型化や複雑化を招来することなく、回転式表示装置の他部材との干渉を防止する。【解決手段】表示装置３１０は、機器本体１００に対し、Ｙ軸（上下方向の軸）およびＸ軸（横方向の軸）回りに回転可能であり、かつＹ軸方向にスライド移動可能である。表示装置３１０をＹ軸方向の下位置に移動させると、端子１０１ａに接続した外部機器４００が、表示装置３１０のＸ軸回りの回転軌跡から外れる。【選択図】図５
2014009730.tif 000002
【特許請求の範囲】
【請求項１】
機器本体に対して互いに異なる方向の第１、第２の軸回りに回転可能な表示装置を備えた電子機器であって、
前記第２の軸の前記第１の軸方向における位置を可変とすべく、前記表示装置を前記第１の軸方向に所定の範囲内でスライド移動可能に構成したことを特徴とする電子機器。
【請求項２】
前記表示装置は、前記機器本体に対して前記第１の軸回りに第１の回転位置と第２の回転位置との間で回転可能とされるとともに、前記第１の軸方向に第１の位置と第２の位置との間でスライド移動可能とされ、
前記表示装置が前記第２の回転位置にあり、かつ前記第１の位置にあるときは、前記機器本体の一部または前記機器本体への装着物が当該表示装置の前記第２の軸回りの回転軌跡内に存在し、前記表示装置が前記第２の回転位置にあるときに前記表示装置を前記第２の位置に移動させると、前記機器本体の一部または前記装着物が前記表示装置の前記第２の軸回りの回転軌跡から相対的に脱することを特徴とする請求項１に記載の電子機器。
【請求項３】
前記第１の回転位置は、前記表示装置が前記機器本体に対して前記第２の軸方向に突出しない閉位置であり、前記第２の回転位置は、前記表示装置が前記機器本体から前記第２の軸方向に突出する開位置であることを特徴とする請求項２に記載の電子機器。
【請求項４】
前記表示装置が前記第１の回転位置から前記第２の回転位置に回転されるのに連動して、前記表示装置を前記第１の位置から前記第２の位置にスライド移動せしめる連動機構を更に備えたことを特徴とする請求項２または３に記載の電子機器。
【請求項５】
前記表示装置は、前記第２の位置にあるときよりも前記第１の位置にあるときの方が、前記機器本体からの前記第１の軸方向の突出量が少ないことを特徴とする請求項１〜４のいずれか１項に記載の電子機器。
【請求項６】
前記装着物は、前記機器本体に設けた端子に接続される他の電子機器、または他の電子機器を接続するためのケーブルであり、前記端子は前記機器本体の主要動作を司るメインの回路基板に実装されていることを特徴とする請求項２〜５のいずれか１項に記載の電子機器。
【発明の詳細な説明】
【技術分野】
【０００１】
本発明は、２軸回りに回転可能な表示装置を有する電子機器に関する。
【背景技術】
【０００２】
第１の軸回りに開閉可能で、かつ第１の軸と直交する第２の軸回り回転可能な表示装置（バリアングルモニタ）を備えた電子機器が知られている（例えば、特許文献１参照）。
【先行技術文献】
【特許文献】
【０００３】
【特許文献１】特開２００５−１５５７７９号公報
【発明の概要】
【発明が解決しようとする課題】
【０００４】
電子機器には、外部機器と接続するための端子が機器本体の外面に設けられているものが多い。バリアングルモニタを備えた電子機器では、その外部端子の配置位置によっては、バリアングルモニタを回転させたときに、外部端子に接続した部材（ケーブル類やＵＳＢ機器等）にバリアングルモニタが干渉するおそれがある。この場合、バリアングルモニタの回転に先だって接続部材をいちいち取り外し、回転後にまた接続するという作業が必要となり、使い勝手が悪い。これは、上述した端子をバリアングルモニタの移動軌跡外に設けることで回避できるが、この方法では機器の大型化や複雑化を招くおそれがある。
【課題を解決するための手段】
【０００５】
本発明は、機器本体に対して互いに異なる方向の第１、第２の軸回りに回転可能な表示装置を備えた電子機器に適用され、表示装置の機器本体に対する第２の軸回りの回転中心位置を可変とすべく、表示装置を第１の軸方向に所定の範囲内でスライド移動可能に構成したことを特徴とする。
【発明の効果】
【０００６】
本発明によれば、機器の大型化や複雑化を招来することなく、回転式表示装置の他部材との干渉を防止できる。
【図面の簡単な説明】
【０００７】
【図１】本発明の一実施形態に係るデジタルカメラの斜視図。
【図２】デジタルカメラを背面から見た断面図で、バリアングルモニタが閉じている状態を示す。
【図３】図２と同様の図で、バリアングルモニタが開いている状態を示す。
【図４】デジタルカメラを上面から見た断面図で、バリアングルモニタが閉じている状態を示す。
【図５】デジタルカメラを側面から見た断面図で、バリアングルモニタが開いている状態を示す。
【図６】図２のヒンジ部周辺を拡大して示す図。
【図７】他の実施形態に係るデジタルカメラを背面から見た断面図で、バリアングルモニタが閉じている状態を示す。
【図８】図７と同様の図で、バリアングルモニタが開いている状態を示す。
【図９】図８状態からバリアングルモニタを押し下げた状態を示す図。
【図１０】図７のヒンジ部周辺を拡大して示す図。
【発明を実施するための形態】
【０００８】
図面を参照して、本発明をデジタルカメラに適用した場合の一実施形態を説明する。
図１はデジタルカメラの概略斜視図であり、１００はカメラボディ、２００は撮影レンズ鏡筒、３００はバリアングルモニタである。バリアングルモニタ３００は、モニタ本体３１０とヒンジユニット３２０とから成り、モニタ本体３１０は、ヒンジユニット３２０を介してカメラボディ１００の背面左角部に取り付けられる。３１０ａは、モニタ本体３１０に設けられた液晶表示画面であり、ここに画像や他の情報が表示される。
【０００９】
ヒンジユニット３２０は、モニタ本体３１０をＸ軸（カメラ横方向の軸）およびＹ軸（カメラ縦方向の軸）回りに回転可能に支持する。Ｙ軸回りの回転は、モニタ本体３１０をカメラボディ１００に対して開閉する回転であり、図１はモニタ本体３１０を閉状態から１８０度開いた状態を示している。
【００１０】
ここで、以下の説明において、「上」および「下」は、モニタ３００における上下を指し、カメラボディ１００の上下を指すものではない。また「左」および「右」は、カメラボディ１００を背面から見たときの左右を指す。
【００１１】
図２、図６を参照してヒンジユニット３２０の構造を説明する。
Ｙ軸回転部材３２１は、ピン３２２および円筒状の受け部材３２３を介して保持部材３２４にＹ軸回りに回転可能に、かつＹ軸方向にスライド移動可能に支持されている。Ｙ軸回転部材３２１の上部と保持部材３２４のばね受け部３２４ａとの間には、クリック板金３２５を介してコイルばね３２６が介装され、これによりＹ軸回転部材３２１は、Ｙ軸下方に付勢される。
【００１２】
Ｙ軸回転部材３２１の下部に設けられたフォロア部３２１ａは、コイルばね３２６の付勢力により、受け部材３２３に形成された円筒カム面３２３ａに押し当てられる。保持部材３２４の上下部は、ビスＢＳ１によりカメラボディ１００に固定される。
【００１３】
Ｙ軸回転部材３２１には、筒体３２７を介してＸ軸回転部材３２８が支持され、Ｘ軸回転部材３２８は、筒体３２７と一体にＸ軸回りに回転可能とされる。Ｘ軸回転部材３２８の上下部は、ビスＢＳ２を介してモニタ本体３１０に固定される。
【００１４】
３２９は、カメラボディ１００からモニタ本体３１０に電源および表示信号を供給するためのハーネスであり、円筒状の受け部材３２３および筒体３２７の内部空間を通過するように這い回される。ハーネス３２９の一端側のコネクタ３２９ａは、カメラボディ１００のメイン基板１０１に接続され、他端側のコネクタ（不図示）は、モニタ本体３１０内の中継基板に接続される。
【００１５】
図４に示すように、メイン基板１０１は、その実装面がカメラ前後方向を向くように、カメラボディ１００内の背面近傍に配置される。カメラ動作を実現するために必要な殆どの電子部品は、このメイン基板１０１の実装面（両面）に実装されている。１０１ａは、メイン基板１０１に実装されたＵＳＢ端子を示し、この端子１０１ａに、カメラボディ１００の左側面からＵＳＢ機器やケーブルが接続可能とされる。各図は、ＵＳＢ端子１０１ａにＵＳＢ機器（例えば、無線通信機器）４００が直接接続された状態を示している。
【００１６】
以上の構成において、図２、図４はモニタ本体３１０が閉位置にある状態を示し、表示画面３１０ａは、モニタ不使用時であれば内側を、モニタ使用時であれば外側を向いている（図４では表示画面３１０ａが外側を向いている）。モニタ本体３１０は、Ｙ軸方向に関しては上位置（通常の高さ位置）にある。上位置にあるモニタ本体３１０は、カメラボディ１００の底面から下方に突出しないので、カメラの載置、収納、把持のいずれにも影響を及ぼすことはない。
【００１７】
この状態でモニタ本体３１０に開き方向の力を加えると、モニタ本体３１０、Ｘ軸回転部材３２８、筒体３２７、Ｙ軸回転部材３２１が一体にＹ軸回りに回転する。このとき、コイルばね３２６で下方に付勢されたＹ軸回転部材３２１のフォロア部３２１ａが、受け部材３２３の円筒カム面３２３ａに沿って移動する。その結果、モニタ本体３１０は、Ｘ軸回転部材３２８、筒体３２７、Ｙ軸回転部材３２１と一体に、保持部材３２４、すなわちカメラボディ１００に対してＹ軸下方に移動する（Ｘ軸がＹ軸下方に移動する）。
【００１８】
図３、図５はモニタ本体３１０が閉状態から１８０度開いた状態を示している。この位置に達すると、クリック板金３２５の下面に形成された突部が、Ｙ軸回転部材３２１の上面に形成された凹部に落ち込み、モニタ本体３１０が固定される。このとき、Ｙ軸回転部材３２１のフォロア部３２１ａは、受け部材３２３の円筒カム面３２３ａの下端に達し、モニタ本体３１０は、上記上位置よりもＹ軸方向に下がった下位置に達する。
【００１９】
この状態でモニタ本体３１０にＸ軸回りの力を加えると、モニタ本体３１０は、Ｘ軸回転部材３２８と一体にＸ軸回りに回転する。このとき、モニタ本体３１０が下位置にある（Ｘ軸が図２よりも下の位置にある）ため、図５に示すように、ＵＳＢ端子１０１ａに接続されたＵＳＢ機器４００はモニタ本体３１０の回転軌跡外にあり、モニタ本体３１０をＸ軸回りに回転してもモニタ本体３１０が機器４００に干渉することはない。したがって、モニタ本体３１０をＸ軸回りに回動させるにあたり、いちいち機器４００をＵＳＢ端子１０１ａから抜く必要はなく、使い勝手がよい。
【００２０】
因みに、図５の状態でモニタ本体３１０が上位置（図２の位置）にあると仮定した場合、ＵＳＢ機器４００はモニタ本体３１０のＸ軸回りの回転軌跡内にあり、モニタ本体３１０をＸ軸回りに回転させると、モニタ本体３１０がＵＳＢ機器４００と干渉してしまう。
【００２１】
ここで、カメラボディ１００を右手で把持することを考えると、ＵＳＢ端子１０１ａやその他の外部入出力端子は、カメラボディ１００を把持する際にＵＳＢ機器４００やケーブル類が邪魔にならないように、カメラボディ１００の左側面に設けるのが好都合である。また、バリアングルモニタ３００のヒンジユニット３２０は、カメラ背面の左側角部に設ける、すなわちモニタ本体３１０が左側に開くようにするのが好都合である。この２つの条件から、上記モニタ本体３１０と外部入出力端子への装着物との干渉という問題が生ずる。ＵＳＢ機器４００以外の装着物としては、外付けのマイクジャック、ＵＳＢ、ＨＤＭＩコネクタ等が考えられる。本実施形態によれば、カメラの把持に支障を来すことなく、またバリアングルモニタ３００の使い勝手を犠牲にすることなく、モニタ本体３１０と上記装着物との干渉を回避できる。
【００２２】
なお、図５において、ＵＳＢ端子１０１ａをよりカメラ前方に移動させれば、モニタ本体３１０が上位置にあっても上記干渉の問題は生じない。しかしながら、この場合はＵＳＢ端子１０１ａをメイン基板１０１に実装できなくなり、別の実装基板が必要となるため、部品点数の増加によるコストアップ、カメラの厚みの増加、ノイズの増加等を招来する。
【００２３】
ところで、図３の状態では、下位置にあるモニタ本体３１０がカメラボディ１００の底面から下方に突出する。しかし、モニタ本体３１０が開いているので、カメラボディ１００の把持には影響を与えない。また、モニタ本体３１０を開いたままカメラを載置する際は、モニタ本体３１０がカメラボディ１００の底面から下方に突出しなくなるまでモニタ本体３１０をＸ軸回りに回転させればよい。
【００２４】
図３、図５の状態からモニタ本体３１０を閉じてゆくと、上述した円筒カム面３２３ａとフォロア部３２１ａの作用により、モニタ本体３１０は、ばね３２６の付勢力に抗してＹ軸上方に移動し、モニタ本体３１０を完全に閉じると図２、図４の状態になる。
【００２５】
図７〜図１０は他の実施形態を示している。なお、先の実施形態と同様の構成要素には同一の符号を付す。
先の実施形態では、モニタ本体３１０をＹ軸回りに開くのに連動してモニタ本体３１０がＹ軸下方に移動するようにしたが、本実施形態では、かかる連動機構は設けられていない。
【００２６】
図７、図１０を参照してヒンジユニット４２０の構造を説明する。
Ｙ軸回転部材４２１は、ピン４２２および筒体４２３を介して保持部材４２４にＹ軸回りに回転可能に支持されている。保持部材４２４の上下部に設けたガイド孔４２４ａには、カメラボディ１００に突設したガイドピン１０２が係合しており、保持部材４２４は、これらの孔４２４ａおよびピン１０２に案内されてＹ軸方向にスライド移動可能である。保持部材４２４のストロークは、ガイド孔４２４ａの長さに依存する。
【００２７】
保持部材４２４に設けたばね受け４２４ｂと、カメラボディ１００に固定されたばね受け１０３との間には、コイルばね４２６が介装され、このばね４２６の付勢力により、保持部材４２４はＹ軸上方に付勢されている。
【００２８】
Ｙ軸回転部材４２１には、筒体４２７を介してＸ軸回転部材４２８が支持され、Ｘ軸回転部材４２８は、筒体４２７と一体にＸ軸回りに回転可能とされる。Ｘ軸回転部材４２８の上下部は、ビスＢＳ２を介してモニタ本体３１０に固定される。
【００２９】
４２９は、カメラボディ１００からモニタ本体３１０に電源および表示信号を供給するためのハーネスであり、筒体４２３、４２７の内部空間を通過するように這い回される。ハーネス４２９の一端側のコネクタ４２９ａは、カメラボディ１００のメイン基板１０１に接続され、他端側のコネクタ（不図示）は、モニタ本体３１０内の中継基板に接続される。
【００３０】
なお、図示はされていないが、カメラボディ１００のメイン基板１０１には、先の実施形態と同様の位置にＵＳＢ端子１０１ａが実装され、ここにカメラ側面からＵＳＢ機器やケーブルが接続される。
【００３１】
以上の構成において、図７はモニタ本体３１０が閉位置にある状態を示している。モニタ本体３１０は、Ｙ軸方向に関しては上位置（通常の高さ位置）にあり、カメラボディ１００のガイドピン１０２は、保持部材４２４のガイド孔４２４ａの下端部に位置する。
【００３２】
この状態でモニタ本体３１０に開き方向の力を加えると、モニタ本体３１０、Ｘ軸回転部材４２８、筒体４２７、Ｙ軸回転部材４２１が一体にＹ軸回りに回転する。図８はモニタ本体３１０が閉状態から１８０度開いた状態を示している。この時点では、モニタ本体３１０は未だ上位置にあり、モニタ本体３１０をＸ軸回りに回転させると、ＵＳＢ端子１０１ａに機器やケーブルが接続されている場合、それらとモニタ本体３１０とが干渉してしまう。
【００３３】
これらの干渉を避けるには、図８の状態でモニタ本体３１０を下方に押しつける。これによりモニタ本体３１０は、ばね４２６の付勢力に抗して、Ｘ軸回転部材４２８、筒体４２７、Ｙ軸回転部材４２１、保持部材３２４と一体にカメラボディ１００に対してＹ軸下方に移動する。その移動は、ガイドピン１０２とガイド孔４２４ａとによって案内され、図９に示すように、ガイドピン１０２がガイド孔４２４ａの上端に達した時点でそれ以上の移動が阻止される。
【００３４】
図９の状態では、モニタ本体３１０が下位置にあるため、ＵＳＢ端子１０１ａに接続された機器またはケーブル等はモニタ本体３１０の回転軌跡外にあり、モニタ本体３１０をＸ軸回りに回転してもモニタ本体３１０が上記機器やケーブルに干渉することはない。
【００３５】
モニタ本体３１０をＸ軸回りの所望の位置まで回転した後、モニタ体３１０へのＹ軸下方への押圧力を解除すると、モニタ本体３１０は、ばね４２６の付勢力により自動的に上位置（図７の状態）に復帰する。
【００３６】
なお、上位置にあるモニタ本体３１０と干渉し得る物体としては、上述したようなカメラボディ１００への装着物の他に、カメラボディ１００の外カバーに固定的に設けられた突起物が考えられる。また、デジタルカメラにて説明したが、２軸回りに回転可能な表示装置を有する他の電子機器（例えば、携帯電話機）にも本発明を同様に適用できる。
【符号の説明】
【００３７】
１００  カメラボディ
１０１  メイン基板
１０１ａ  ＵＳＢ端子
２００  撮影レンズ
３００  バリアングルモニタ
３１０  モニタ本体
３２０  ヒンジユニット
３２１、４２１  Ｙ軸回転部材
３２１ａ  フォロア部
３２３  受け部材
３２３ａ  円筒カム面
３２４、４２４  保持部材
３２７、４２３、４２７  筒体
３２８、４２８  Ｘ軸回転部材
３２９、４２９  ハーネス
４００  ＵＳＢ機器
【図１】
2014009730.tif 000003
【図２】
2014009730.tif 000004
【図３】
2014009730.tif 000005
【図４】
2014009730.tif 000006
【図５】
2014009730.tif 000007
【図６】
2014009730.tif 000008
【図７】
2014009730.tif 000009
【図８】
2014009730.tif 000010
【図９】
2014009730.tif 000011
【図１０】
2014009730.tif 000012